(57)【要約】【課題】所謂「ウォーターランプ」を安全に使用することができるパチンコ機を提供すること。【解決手段】左水槽１７０・右水槽２６０の空気導入口１７１，２６１とエアポンプ１８０の吐出口１８１とがチューブ３３１，３３２，３３３で接続されるとともに、左水槽１７０・右水槽２６０の空気排出口１７２，２６２とエアポンプ１８０の吸込口１８３とがチューブ３３４，３３５，３３６で接続されることにより、エアポンプ１８０及び左水槽１７０・右水槽２６０の間で空気が密閉・循環されて使用される。【選択図】  図５９
2004181098.tif 000002
【特許請求の範囲】
【請求項１】
透光性液体が注入された透光性容器と、
空気を吐出するエアポンプと、
前記透光性容器の透光性液体に光を照射する照明手段と、を有し、
前記透光性容器は、
前記エアポンプからの空気を前記透光性容器の透光性液体に放出するための空気導入口と、
前記透光性容器の透光性液体に放出された空気を外部に逃がすための空気排出口と、を備える一方で、
前記エアポンプは、
空気を吐出するための吐出口と、
空気を吸い込むための吸込口と、を備え、
前記透光性容器の空気導入口と前記エアポンプの吐出口とを第１チューブで接続するとともに、前記透光性容器の空気排出口と前記エアポンプの吸込口とを第２チューブで接続すること、を特徴とするパチンコ機。
【発明の詳細な説明】
【０００１】
【発明の属する技術分野】
本発明は、所謂「ウォーターランプ」を備えたパチンコ機に関する。
【０００２】
【従来の技術】
従来、所謂「ウォーターランプ」とは、ライティングされた水槽内に泡を駆け上がらせることによって、幻想的な空間を演出するものである（例えば、特許文献１、特許文献２参照）。
【０００３】
【特許文献１】
実開平５−８８０５号公報
【特許文献２】
実開平５−２３３１３号公報
【０００４】
従って、所謂「ウォーターランプ」をパチンコ機に備えれば、幻想的な空間を演出することができるので、遊技者に新たな興趣を与えることが可能となる。
【０００５】
【発明が解決しようとする課題】
しかしながら、パチンコ機は、ホールに設置されることを前提にして製作されているので、電気部品が多く使用されているにも拘わらず、防水処理が施されていない。従って、所謂「ウォーターランプ」をパチンコ機に単に取り付けただけでは、所謂「ウォーターランプ」の水槽内の液体が漏れた場合に故障する危険が大きい。特に、水槽内を駆け上がる泡が大気に開放されている場合、長時間が経過すれば、水槽内の液体も大気へ蒸発していくことから、水槽内の液体を補充する必要がある。この点、水槽内の液体を補充する際は、水槽内の液体が漏れる可能性が大きいことから、水槽内の液体を補充する作業は、可能な限り回避したい。
【０００６】
そこで、本発明は、上述した点を鑑みてなされたものであり、所謂「ウォーターランプ」を安全に使用することができるパチンコ機を提供することを課題とする。
【０００７】
【課題を解決するための手段】
この課題を解決するために成された請求項１に係る発明は、透光性液体が注入された透光性容器と、空気を吐出するエアポンプと、前記透光性容器の透光性液体に光を照射する照明手段と、を有し、前記透光性容器は、前記エアポンプからの空気を前記透光性容器の透光性液体に放出するための空気導入口と、前記透光性容器の透光性液体に放出された空気を外部に逃がすための空気排出口と、を備える一方で、前記エアポンプは、空気を吐出するための吐出口と、空気を吸い込むための吸込口と、を備え、前記透光性容器の空気導入口と前記エアポンプの吐出口とを第１チューブで接続するとともに、前記透光性容器の空気排出口と前記エアポンプの吸込口とを第２チューブで接続すること、を特徴としている。
【０００８】
このような特徴を有する本発明のパチンコ機では、透光性容器と、エアポンプ、照明手段で構成された所謂「ウォーターランプ」を有している。さらに、所謂「ウォーターランプ」では、透光性容器に注入された透光性液体に対し、照射手段によって光が照射されるとともに、エアポンプから吐出された空気が放出されるので、ライティングされた透光性容器内に泡を駆け上がらせることができる。
【０００９】
このとき、透光性容器においては、エアポンプからの空気が、エアポンプの吐出口に第１チューブで接続された空気導入口を介して、透光性容器の透光性液体に放出され、さらに、エアポンプの吸込口に第２チューブで接続された空気排出口を介して、エアポンプに戻るので、所謂「ウォーターランプ」では、エアポンプ及び透光性容器の間で空気が密閉・循環されて使用されることになり、透光性容器の透光性液体が外部へ蒸発することを防ぐことができる。
【００１０】
すなわち、本発明のパチンコ機では、透光性容器の空気導入口とエアポンプの吐出口とが第１チューブで接続されるとともに、透光性容器の空気排出口とエアポンプの吸込口とが第２チューブで接続されることにより、エアポンプ及び透光性容器の間で空気が密閉・循環されて使用されることになり、透光性容器から透光性液体が外部へ蒸発することを防ぐことができ、ひいては、透光性容器に透光性液体を補充する作業の回数を激減させることができるので、所謂「ウォーターランプ」での故障が発生する確率を低下することができるとともに、所謂「ウォーターランプ」を安全に使用することができる。
【００１１】
【発明の実施の形態】
以下、本発明の実施の形態を図面を参照にして説明する。図６７に、本実施の形態のパチンコ機１の正面図を示す。本実施の形態のパチンコ機１においては、図６７に示すように、ガラス扉１０１が、ヒンジ３を介して、外枠２に対して回動可能に設けられている。但し、図６７においては、ガラス扉１０１から見える遊技領域は省略してある。尚、図６８は、本実施の形態のパチンコ機１の側面図である。また、図６９は、本実施形態のパチンコ機１において、ガラス扉１０１が閉じた状態を示した上面図であり、図７０は、本実施形態のパチンコ機１において、ガラス扉１０１が開いた状態を示した上面図である。
【００１２】
また、図１に、ガラス扉１０１の分解組立図を示す。図１に示すように、ガラス扉１０１は、右サイドレンズ１１０や、表本体１２０、左サイドレンズ１３０、左下レンズ１４０、一対の基板１５０、一対の光拡散板１６０、左水槽１７０、エアポンプ１８０、右下レンズ１９０、右水槽２６０、裏本体２７０、中波２８０、左波２９０、右波３００などから構成されている。
【００１３】
この点、右サイドレンズ１１０は、図２に示すように、透明のレンズ面１１１が設けられた扉装飾物であり、２個の螺孔１１２をもって、表本体１２０の表側に固定される（図１参照）。但し、２個の螺孔１１２に螺挿される各ねじは、表本体１２０の裏側からねじ込まれる。尚、図２は、右サイドレンズ１１０の正面図である。また、図３に右サイドレンズ１１０の平面図を示し、図４に右サイドレンズ１１０の側面図を示し、図５に右サイドレンズ１１０を裏側からみた斜視図を示す。
尚、本明細書において、「表側」とは遊技者側をいい、「裏側」とは反遊技者側をいう。
【００１４】
また、表本体１２０は、図６に示すように、遊技領域のための遊技領域用開口部１２１や、扉装飾物のための複数の扉装飾物用開口部１２２、右サイドレンズ１１０（図１参照）のための右サイドレンズ用開口部１２３、左サイドレンズ１３０（図１参照）のための左サイドレンズ用開口部１２４などの開口部が多く設けられている。この点、図示はしないが、遊技領域用開口部１２１にはガラスなどの透明な板が嵌め込まれ、複数の扉装飾物用開口部１２２には光透過性の樹脂が嵌め込まれている。さらに、表本体１２０の表側には、図６に示すように、右サイドレンズ１１０（図１参照）を取り付けるための２個の螺孔１２５や、左サイドレンズ１３０（図１参照）を取り付けるための２個の螺孔１２６が貫設されている。一方、表本体１２０の裏側には、図６に示すように、右下レンズ１９０（図１参照）を取り付けるための２個の螺孔１２７や、左下レンズ１４０（図１参照）を取り付けるための２個の螺孔１２８、裏本体２７０（図１参照）を取り付けるための１３個の螺孔１２９が設けられている。尚、図６は、表本体１２０の正面図である。また、図７に表本体１２０の平面図を示し、図８に表本体１２０の側面図を示し、図９に表本体１２０を表側からみた斜視図を示す。
【００１５】
また、左サイドレンズ１３０は、図１０に示すように、透明のレンズ面１３１が設けられた扉装飾物であり、２個の螺孔１３２をもって、表本体１２０の表側から固設される（図１参照）。但し、２個の螺孔１３２に螺挿される各ねじは、表本体１２０の裏側からねじ込まれる。尚、図１０は、左サイドレンズ１３０の正面図である。また、図１１に左サイドレンズ１３０の平面図を示し、図１２に左サイドレンズ１３０の側面図を示し、図１３に左サイドレンズ１３０を表側からみた斜視図を示す。
【００１６】
また、左下レンズ１４０は、図１４に示すように、透明のレンズ面１４１からなる扉装飾物であり、２個の螺孔１４２をもって、表本体１２０の裏側から固設される（図１参照）。尚、図１４は、左下レンズ１４０の正面図である。また、図１５に左下レンズ１４０の平面図を示し、図１６に左下レンズ１４０の側面図を示し、図１７に左下レンズ１４０を表側からみた斜視図を示す。
【００１７】
また、一対の基板１５０は、図１８に示すように、多数のＬＥＤ１５１が設けられた電気基板であり、裏本体１７０に固定される（図１参照）。そして、一対の基板１５０は、図示しない制御基板により制御される。尚、図１８は、基板１５０の正面図である。また、図１９に基板１５０の平面図を示し、図２０に基板１５０の側面図を示し、図２１に基板１５０の斜視図を示す。
【００１８】
また、一対の光拡散板１６０は、図２２に示すように、光透過性の一枚のプレートからできており、左水槽１７０／右水槽２６０と基板１５０との間で、裏本体１７０に固定される（図１参照）。尚、図２２は、光拡散板１６０の正面図である。また、図２３に光拡散板１６０の平面図を示し、図２４に光拡散板１６０の側面図を示し、図２５に光拡散板１６０の斜視図を示す。
【００１９】
また、左水槽１７０は、透明な樹脂でブロー成形されたものであり、図２６に示すように、左水槽１７０の上面１７３には、空気導入口１７１と、空気排出口１７２が設けられている。そして、左水槽１７０は、表本体１２０の表側から嵌装されるが、このとき、左水槽１７０の左側面１７４の全面には、光拡散板１６０が当接する（図１参照）。尚、図２６は、左水槽１７０の正面図である。また、図２７に左水槽１７０の平面図を示し、図２８に左水槽１７０の側面図を示し、図２９に左水槽１７０の斜視図を示す。
【００２０】
また、エアポンプ１８０は、図３０に示すように、吸込口１８３から吸い込んだ空気を吐出口１８１から間欠に吐出するものであり、突設された２個の螺孔片１８２をもって、裏本体２７０の裏側から固設される（図１参照）。そして、エアポンプ１８０は、図示しない制御基板により制御される。尚、図３０は、エアポンプ１８０の正面図である。また、図３１にエアポンプ１８０の平面図を示し、図３２にエアポンプ１８０の側面図を示し、図３３にエアポンプ１８０の斜視図を示す。
【００２１】
また、右下レンズ１９０は、図３４に示すように、透明のレンズ面１９１からなる扉装飾物であり、２個の螺孔１９２をもって、表本体１２０の裏側から固設される（図１参照）。尚、図３４は、右下レンズ１９０の正面図である。また、図３５に右下レンズ１９０の平面図を示し、図３６に右下レンズ１９０の側面図を示し、図３７に右下レンズ１９０を表側からみた斜視図を示す。
【００２２】
一方、右水槽２６０は、透明な樹脂でブロー成形されたものであり、図３８に示すように、右水槽２６０の上面２６３には、空気導入口２６１と、空気排出口２６２が設けられている。そして、右水槽２６０は、表本体１２０の表側から嵌装されるが、このとき、右水槽２６０の右側面２６４の全面には、光拡散板１６０が当接する（図１参照）。尚、図３８は、右水槽２６０の正面図である。また、図３９に右水槽２６０の平面図を示し、図４０に右水槽２６０の側面図を示し、図４１に右水槽２６０の斜視図を示す。
【００２３】
また、裏本体２７０は、図４２に示すように、遊技領域のための遊技領域用開口部２７１が設けられている。さらに、裏本体２７０の表側には、図４２に示すように、エアポンプ１８０（図１参照）を取り付けるための２個の螺孔２７３が設けられるとともに、表本体１２０（図１参照）を取り付けるための１３個の螺孔２７４が貫設されている。また、基板１５０を固定するための一対の係着溝２７５が２組設けられている。尚、図４２は、裏本体２７０の正面図である。また、図４３に裏本体２７０の平面図を示し、図４４に裏本体２７０の側面図を示し、図４５に裏本体２７０の背面図を示し、図４６に裏本体２７０を表側からみた斜視図を示す。
【００２４】
また、中波２８０は、図４７に示すように、３個の孔２８１が設けられており、表本体１２０と裏本体２７０が取り着けられる際に、３個の孔２８１を介して、裏本体２７０の裏側から裏本体２７０の螺孔２７４に取り付けられるものである（図１参照）。尚、図４７は、中波２８０の正面図である。また、中波２８０の平面図を図４８に示し、中波２８０の側面図を図４９に示し、中波２８０の斜視図を図５０に示す。
【００２５】
また、左波２９０は、図５１に示すように、４個の孔２９１が設けられており、表本体１２０と裏本体２７０が取り着けられる際に、４個の孔２９１を介して、裏本体２７０の裏側から裏本体２７０の螺孔２７４に取り付けられるものである（図１参照）。尚、図５１は、左波２９０の正面図である。また、左波２９０の平面図を図５２に示し、左波２９０の側面図を図５３に示し、左波２９０の斜視図を図５４に示す。
【００２６】
また、右波３００は、図５５に示すように、４個の孔３０１が設けられており、表本体１２０と裏本体２７０が取り着けられる際に、４個の孔３０１を介して、裏本体２７０の裏側から裏本体２７０の螺孔２７４に取り付けられるものである（図１参照）。尚、図５５は、右波３００の正面図である。また、右波３００の平面図を図５６に示し、右波３００の側面図を図５７に示し、右波３００の斜視図を図５８に示す。
【００２７】
ここで、図５９に、裏本体２７０の正面図であって、一対の基板１５０、一対の光拡散板１６０、左水槽１７０、エアポンプ１８０、右水槽２６０を裏本体２７０に取り付けた際のものを示す。図５９に示すように、エアポンプ１８０の吐出口１８１は、チューブ３３１の一端に嵌め込まれる。そして、チューブ３３１の他端は、チューブ３３２とチューブ３３３に途中で分岐し、その一方のチューブ３３２が左水槽１７０の空気導入口１７１を介して左水槽１７０の内部に挿入され、その他方のチューブ３３３が右水槽２６０の空気導入口２６１を介して右水槽２６０の内部に挿入される。この点、左水槽１７０には水１７５が注入されているが、左水槽１７０の内部に挿入されたチューブ３３２の先端は、左水槽１７０の底面にまで挿入されて、左水槽１７０の水１７５の水位以下にある。同様にして、右水槽２６０には水２６５が注入されているが、右水槽２６０の内部に挿入されたチューブ３３３の先端は、右水槽２６０の底面にまで挿入されて、右水槽２６０の水２６５の水位以下にある。
【００２８】
また、左水槽１７０の空気排出口１７２は、チューブ３３４の一端に嵌め込まれる。一方、チューブ３３４の他端は、チューブ３３５，３３６に分岐している。また、右水槽２６０の空気排出口２６２は、チューブ３３５の一端に嵌め込まれる。一方、チューブ３３５の他端は、チューブ３３４，３３６に分岐している。そして、エアポンプ１８０の吸込口１８３は、チューブ３３６の一端に嵌め込まれる。尚、このときの平面図を図６０に示し、このときの側面図を図６１に示し、このときの斜視図を図６２に示す。但し、図６２では、チューブ３３１，３３２，３３３，３３４，３３５，３３６は、省略している。
【００２９】
また、表本体１２０と裏本体２７０が組み込まれたガラス扉１０１について、正面図を図６３に示し、平面図を図６４に示し、側面図を図６５に示し、斜視図を図６６に示す。尚、図６３及び図６６では、左下レンズ１４０及び右下レンズ１９０が開口部から露出している。また、図６６では示していないが、遊技領域用開口部１２１にはガラスなどの透明な板が嵌め込まれ、複数の扉装飾物用開口部１２２には光透過性の樹脂が嵌め込まれている。
【００３０】
次に、本実施の形態のパチンコ機１に内設された所謂「ウォーターランプ」の構成について説明する。本実施の形態のパチンコ機１に内設された所謂「ウォーターランプ」は、左水槽１７０・右水槽２６０や、エアポンプ１８０、基板１５０などから構成されており、左水槽１７０の系統と右水槽２６０の系統がある。ここで、左水槽１７０の系統について説明すると、図７１に示すように、エアポンプ１８０の吐出口１８１から間欠的に吐出された空気は、チューブ３３１，３３２を介して、左水槽１７０内の水１７５の中に左水槽１７０の底面から放出され、左水槽１７０内の水１７５の中を泡となって上昇していく。このとき、基板１５０のＬＥＤ１５１からの光は、光拡散板１６０を通過して拡散された後に、左水槽１７０内の水１７５を照らしていく。このとき、図７１の二点差線で示すように、複数の扉装飾物用開口部１２２の一部は、左水槽１７０の正面に位置するとともに、左水槽１７０内の水１７５の水位よりも下に位置し、左水槽１７０内のチューブ３３２から外れた位置にあることから、遊技者に対し、左水槽１７０内の水１７５及び左水槽１７０内の水１７５の中を上昇していく泡のみを大きく映し出すことができる。尚、図７１では、説明の便宜上、左水槽１７０の左側面１７４と光拡散板１６０は離間して記載されているが、本実施の形態のパチンコ機１では、左水槽１７０の左側面１７４と光拡散板１６０は当接している。
【００３１】
そして、左水槽１７０内の水１７５の中を上昇していった泡（空気）は、チューブ３３４，３３６を介して、エアポンプ１８０の吸込口１８３からエアポンプ１８０に吸い込まれる。
【００３２】
これまでは、左水槽１７０の系統について説明してきたが、右水槽２６０の系統についても同様である。従って、以上により、本実施の形態のパチンコ機１に内設された所謂「ウォーターランプ」においては、ライティングされた左水槽１７０・右水槽２６０内に泡を駆け上がらせることによって、幻想的な空間を演出することができる。
【００３３】
また、図７１では、チューブ３３２は、左水槽１７０の空気導入口１７１を介して左水槽１７０の内部に挿入されているが、このとき、図７２に示すように、チューブ３３２に差し込まれたＯリング３３２Ａを、空気導入口１７１の先端及び空気導入口１７１に螺着されるキャップ１７６の内側で挟み込むことにより、左水槽１７０の水１７５が外部に漏れることを防止することが望ましい。尚、空気導入口１７１からキャップ１７６を取り外せば、空気導入口１７１を介して、左水槽１７０に水１７５を入れることが可能である。
【００３４】
また、図７１では、チューブ３３４は、左水槽１７０の空気排出口１７２に嵌め込まれているが、このとき、図７２に示すように、チューブ３３４に差し込まれたＯリング３３４Ａを、空気排出口１７２の先端及び空気排出口１７２に螺着されるキャップ１７６の内側で挟み込むことにより、左水槽１７０の水１７５が外部に漏れることを防止することが望ましい。尚、空気排出口１７２からキャップ１７６を取り外し、さらに、空気排出口１７２からチューブ３３４を取り外せば、空気排出口１７２を介して、左水槽１７０に水１７５を入れることが可能である。
【００３５】
但し、左水槽１７０に水１７５を入れることについては、図７３に示すように、専用の液体注入口１７７を左水槽１７０の上面１７３に設けるとともに、液体注入口１７７に螺着されるキャップ１７８を設けることにより行ってもよい。
【００３６】
また、図７１では、チューブ３３３は、右水槽２６０の空気導入口２６１を介して右水槽２６０の内部に挿入されているが、このとき、図７４に示すように、チューブ３３３に差し込まれたＯリング３３３Ａを、空気導入口２６１の先端及び空気導入口２６１に螺着されるキャップ２６６の内側で挟み込むことにより、右水槽２６０の水２６５が外部に漏れることを防止することが望ましい。尚、空気導入口２６１からキャップ２６６を取り外せば、空気導入口２６１を介して、右水槽２６０に水２７５を入れることが可能である。
【００３７】
また、図７１では、チューブ３３５は、右水槽２６０の空気排出口２６２に嵌め込まれているが、このとき、図７５に示すように、チューブ３３５に差し込まれたＯリング３３５Ａを、空気排出口２６２の先端及び空気排出口２６２に螺着されるキャップ２６６の内側で挟み込むことにより、右水槽２６０の水２６５が外部に漏れることを防止することが望ましい。尚、空気排出口２６２からキャップ２６６を取り外し、さらに、空気排出口２６２からチューブ３３５を取り外せば、空気排出口２６２を介して、右水槽２６０に水２６５を入れることが可能である。
【００３８】
但し、右水槽２６０に水２６５を入れることについては、図７５に示すように、専用の液体注入口２６７を右水槽２６０の上面２６３に設けるとともに、液体注入口２６７に螺着されるキャップ２６８を設けることにより行ってもよい。
【００３９】
以上詳細に説明したように、本実施の形態のパチンコ機１では、左水槽１７０・右水槽２６０と、エアポンプ１８０、一対の基板１５０のＬＥＤ１５１などで構成された所謂「ウォーターランプ」を有している。さらに、所謂「ウォーターランプ」では、左水槽１７０・右水槽２６０に注入された水１７５，２６５に対し、一対の基板１５０のＬＥＤ１５１の光が一対の光拡散板１６０を通過して照射されるとともに、エアポンプ１８０から間欠的に吐出された空気がチューブ３３１，３３２，３３３を介して放出されるので、ライティングされた左水槽１７０・右水槽２６０内に泡を駆け上がらせることができる。
【００４０】
このとき、左水槽１７０・右水槽２６０においては、エアポンプ１８０からの空気が、エアポンプ１８０の吐出口１８１にチューブ３３１，３３２，３３３で接続された空気導入口１７１，２６１を介して、左水槽１７０・右水槽２６０の水１７５，２６５に放出され、さらに、エアポンプ１８０の吸込口１８３にチューブ３３４，３３５，３３６で接続された空気排出口１７２，２６２を介して、エアポンプ１８０に戻るので、所謂「ウォーターランプ」では、エアポンプ１８０及び左水槽１７０・右水槽２６０の間で空気が密閉・循環されて使用されることになり、左水槽１７０・右水槽２６０の水１７５，２６５が外部へ蒸発することを防ぐことができる。
【００４１】
すなわち、本実施の形態のパチンコ機１では、左水槽１７０・右水槽２６０の空気導入口１７１，２６１とエアポンプ１８０の吐出口１８１とがチューブ３３１，３３２，３３３で接続されるとともに、左水槽１７０・右水槽２６０の空気排出口１７２，２６２とエアポンプ１８０の吸込口１８３とがチューブ３３４，３３５，３３６で接続されることにより、エアポンプ１８０及び左水槽１７０・右水槽２６０の間で空気が密閉・循環されて使用されることになり、左水槽１７０・右水槽２６０から水１７５，２６５が外部へ蒸発することを防ぐことができ、ひいては、左水槽１７０・右水槽２６０に水１７５，２６５を補充する作業の回数を激減させることができるので、所謂「ウォーターランプ」での故障が発生する確率を低下することができるとともに、所謂「ウォーターランプ」を安全に使用することができる。
【００４２】
尚、本発明は上記実施の形態に限定されるものでなく、その趣旨を逸脱しない範囲で様々な変更が可能である。
例えば、本実施の形態のパチンコ機１では、左水槽１７０・右水槽２６０に注入される透光性液体として、水１７５，２６５を使用しているが、不凍液などを使用してもよい。
【００４３】
【発明の効果】
本発明のパチンコ機では、透光性容器の空気導入口とエアポンプの吐出口とが第１チューブで接続されるとともに、透光性容器の空気排出口とエアポンプの吸込口とが第２チューブで接続されることにより、エアポンプ及び透光性容器の間で空気が密閉・循環されて使用されることになり、透光性容器から透光性液体が外部へ蒸発することを防ぐことができ、ひいては、透光性容器に透光性液体を補充する作業の回数を激減させることができるので、所謂「ウォーターランプ」での故障が発生する確率を低下することができるとともに、所謂「ウォーターランプ」を安全に使用することができる。
【図面の簡単な説明】
【図１】本発明の一実施形態によるパチンコ機におけるガラス扉の分解組立図である。
【図２】本発明の一実施形態によるパチンコ機における右サイドレンズの正面図である。
【図３】本発明の一実施形態によるパチンコ機における右サイドレンズの平面図である。
【図４】本発明の一実施形態によるパチンコ機における右サイドレンズの側面図である。
【図５】本発明の一実施形態によるパチンコ機における右サイドレンズを裏側からみた斜視図である。
【図６】本発明の一実施形態によるパチンコ機における表本体の正面図である。
【図７】本発明の一実施形態によるパチンコ機における表本体の平面図である。
【図８】本発明の一実施形態によるパチンコ機における表本体の側面図である。
【図９】本発明の一実施形態によるパチンコ機における表本体を表側からみた斜視図である。
【図１０】本発明の一実施形態によるパチンコ機における左サイドレンズの正面図である。
【図１１】本発明の一実施形態によるパチンコ機における左サイドレンズの平面図である。
【図１２】本発明の一実施形態によるパチンコ機における左サイドレンズの側面図である。
【図１３】本発明の一実施形態によるパチンコ機における左サイドレンズを表側からみた斜視図である。
【図１４】本発明の一実施形態によるパチンコ機における左下レンズの正面図である。
【図１５】本発明の一実施形態によるパチンコ機における左下レンズの平面図である。
【図１６】本発明の一実施形態によるパチンコ機における左下レンズの側面図である。
【図１７】本発明の一実施形態によるパチンコ機における左下レンズを表側からみた斜視図である。
【図１８】本発明の一実施形態によるパチンコ機における基板の正面図である。
【図１９】本発明の一実施形態によるパチンコ機における基板の平面図である。
【図２０】本発明の一実施形態によるパチンコ機における基板の側面図である。
【図２１】本発明の一実施形態によるパチンコ機における基板の斜視図である。
【図２２】本発明の一実施形態によるパチンコ機における光拡散板の正面図である。
【図２３】本発明の一実施形態によるパチンコ機における光拡散板の平面図である。
【図２４】本発明の一実施形態によるパチンコ機における光拡散板の側面図である。
【図２５】本発明の一実施形態によるパチンコ機における光拡散板の斜視図である。
【図２６】本発明の一実施形態によるパチンコ機における左水槽の正面図である。
【図２７】本発明の一実施形態によるパチンコ機における左水槽の平面図である。
【図２８】本発明の一実施形態によるパチンコ機における左水槽の側面図である。
【図２９】本発明の一実施形態によるパチンコ機における左水槽の斜視図である。
【図３０】本発明の一実施形態によるパチンコ機におけるエアポンプの正面図である。
【図３１】本発明の一実施形態によるパチンコ機におけるエアポンプの平面図である。
【図３２】本発明の一実施形態によるパチンコ機におけるエアポンプの側面図である。
【図３３】本発明の一実施形態によるパチンコ機におけるエアポンプの斜視図である。
【図３４】本発明の一実施形態によるパチンコ機における右下レンズの正面図である。
【図３５】本発明の一実施形態によるパチンコ機における右下レンズの平面図である。
【図３６】本発明の一実施形態によるパチンコ機における右下レンズの側面図である。
【図３７】本発明の一実施形態によるパチンコ機における右下レンズを表側からみた斜視図である。
【図３８】本発明の一実施形態によるパチンコ機における右水槽の正面図である。
【図３９】本発明の一実施形態によるパチンコ機における右水槽の平面図である。
【図４０】本発明の一実施形態によるパチンコ機における右水槽の側面図である。
【図４１】本発明の一実施形態によるパチンコ機における右水槽の斜視図である。
【図４２】本発明の一実施形態によるパチンコ機における裏本体の正面図である。
【図４３】本発明の一実施形態によるパチンコ機における裏本体の平面図である。
【図４４】本発明の一実施形態によるパチンコ機における裏本体の側面図である。
【図４５】本発明の一実施形態によるパチンコ機における裏本体の背面図である。
【図４６】本発明の一実施形態によるパチンコ機における裏本体を表側からみた斜視図である。
【図４７】本発明の一実施形態によるパチンコ機における中波の正面図である。
【図４８】本発明の一実施形態によるパチンコ機における中波の平面図である。
【図４９】本発明の一実施形態によるパチンコ機における中波の側面図である。
【図５０】本発明の一実施形態によるパチンコ機における中波の斜視図である。
【図５１】本発明の一実施形態によるパチンコ機における左波の正面図である。
【図５２】本発明の一実施形態によるパチンコ機における左波の平面図である。
【図５３】本発明の一実施形態によるパチンコ機における左波の側面図である。
【図５４】本発明の一実施形態によるパチンコ機における左波の斜視図である。
【図５５】本発明の一実施形態によるパチンコ機における右波の正面図である。
【図５６】本発明の一実施形態によるパチンコ機における右波の平面図である。
【図５７】本発明の一実施形態によるパチンコ機における右波の側面図である。
【図５８】本発明の一実施形態によるパチンコ機における右波の斜視図である。
【図５９】本発明の一実施形態によるパチンコ機における裏本体の正面図であって、一対の基板、一対の光拡散板、左水槽、エアポンプ、右水槽を裏本体に取り付けた際のものである。
【図６０】本発明の一実施形態によるパチンコ機における裏本体の平面図であって、一対の基板、一対の光拡散板、左水槽、エアポンプ、右水槽を裏本体に取り付けた際のものである。
【図６１】本発明の一実施形態によるパチンコ機における裏本体の側面図であって、一対の基板、一対の光拡散板、左水槽、エアポンプ、右水槽を裏本体に取り付けた際のものである。
【図６２】本発明の一実施形態によるパチンコ機における裏本体の斜視図であって、一対の基板、一対の光拡散板、左水槽、エアポンプ、右水槽を裏本体に取り付けた際のものである。
【図６３】本発明の一実施形態によるパチンコ機におけるガラス扉の正面図である。
【図６４】本発明の一実施形態によるパチンコ機におけるガラス扉の平面図である。
【図６５】本発明の一実施形態によるパチンコ機におけるガラス扉の側面図である。
【図６６】本発明の一実施形態によるパチンコ機におけるガラス扉の斜視図である。
【図６７】本発明の一実施形態によるパチンコ機の正面図である。
【図６８】本発明の一実施形態によるパチンコ機の側面図である。
【図６９】本発明の一実施形態によるパチンコ機において、ガラス扉が閉じた状態を示した上面図である。
【図７０】本発明の一実施形態によるパチンコ機において、ガラス扉が開いた状態を示した上面図である。
【図７１】本発明の一実施形態によるパチンコ機における所謂「ウォーターランプ」の概要を示した図である。
【図７２】本発明の一実施形態によるパチンコ機において、ガラス扉の左水槽の上部を示した図である。
【図７３】本発明の一実施形態によるパチンコ機において、ガラス扉の左水槽に液体注入口を設けた一例を示した図である。
【図７４】本発明の一実施形態によるパチンコ機において、ガラス扉の右水槽の上部を示した図である。
【図７５】本発明の一実施形態によるパチンコ機において、ガラス扉の右水槽に液体注入口を設けた一例を示した図である。
【符号の説明】
１  パチンコ機
１０１  ガラス扉
１５１  ＬＥＤ
１７０  左水槽
１７１  左水槽の空気導入口
１７２  左水槽の空気排出口
１７３  左水槽の上面
１７５  左水槽の水
１８０  エアポンプ
１８１    エアポンプの吐出口
１８３    エアポンプの吸込口
２６０  右水槽
２６１  右水槽の空気導入口
２６２  右水槽の空気排出口
２６３  右水槽の上面
２６５  右水槽の水
３３１，３３２，３３３，３３４，３３５，３３６  チューブ
【図１】
2004181098.tif 000003
【図２】
2004181098.tif 000004
【図３】
2004181098.tif 000005
【図４】
2004181098.tif 000006
【図５】
2004181098.tif 000007
【図６】
2004181098.tif 000008
【図７】
2004181098.tif 000009
【図８】
2004181098.tif 000010
【図９】
2004181098.tif 000011
【図１０】
2004181098.tif 000012
【図１１】
2004181098.tif 000013
【図１２】
2004181098.tif 000014
【図１３】
2004181098.tif 000015
【図１４】
2004181098.tif 000016
【図１５】
2004181098.tif 000017
【図１６】
2004181098.tif 000018
【図１７】
2004181098.tif 000019
【図１８】
2004181098.tif 000020
【図１９】
2004181098.tif 000021
【図２０】
2004181098.tif 000022
【図２１】
2004181098.tif 000023
【図２２】
2004181098.tif 000024
【図２３】
2004181098.tif 000025
【図２４】
2004181098.tif 000026
【図２５】
2004181098.tif 000027
【図２６】
2004181098.tif 000028
【図２７】
2004181098.tif 000029
【図２８】
2004181098.tif 000030
【図２９】
2004181098.tif 000031
【図３０】
2004181098.tif 000032
【図３１】
2004181098.tif 000033
【図３２】
2004181098.tif 000034
【図３３】
2004181098.tif 000035
【図３４】
2004181098.tif 000036
【図３５】
2004181098.tif 000037
【図３６】
2004181098.tif 000038
【図３７】
2004181098.tif 000039
【図３８】
2004181098.tif 000040
【図３９】
2004181098.tif 000041
【図４０】
2004181098.tif 000042
【図４１】
2004181098.tif 000043
【図４２】
2004181098.tif 000044
【図４３】
2004181098.tif 000045
【図４４】
2004181098.tif 000046
【図４５】
2004181098.tif 000047
【図４６】
2004181098.tif 000048
【図４７】
2004181098.tif 000049
【図４８】
2004181098.tif 000050
【図４９】
2004181098.tif 000051
【図５０】
2004181098.tif 000052
【図５１】
2004181098.tif 000053
【図５２】
2004181098.tif 000054
【図５３】
2004181098.tif 000055
【図５４】
2004181098.tif 000056
【図５５】
2004181098.tif 000057
【図５６】
2004181098.tif 000058
【図５７】
2004181098.tif 000059
【図５８】
2004181098.tif 000060
【図５９】
2004181098.tif 000061
【図６０】
2004181098.tif 000062
【図６１】
2004181098.tif 000063
【図６２】
2004181098.tif 000064
【図６３】
2004181098.tif 000065
【図６４】
2004181098.tif 000066
【図６５】
2004181098.tif 000067
【図６６】
2004181098.tif 000068
【図６７】
2004181098.tif 000069
【図６８】
2004181098.tif 000070
【図６９】
2004181098.tif 000071
【図７０】
2004181098.tif 000072
【図７１】
2004181098.tif 000073
【図７２】
2004181098.tif 000074
【図７３】
2004181098.tif 000075
【図７４】
2004181098.tif 000076
【図７５】
2004181098.tif 000077